(57)【特許請求の範囲】
【請求項１】
口頸部を有し、液状又は粉状の内容物を収容可能な容器本体と、前記口頸部に着脱自在に設けられたキャップとを備える容器であって、
前記キャップは、前記口頸部に装着されたときに前記口頸部の外周面に沿わせられる外壁部を備え、前記口頸部に装着された状態で前記口頸部の軸周りに回動でき、
前記外壁部は、長片部と短片部とを備え、
前記外壁部の前記長片部の内面には突起部が設けられ、
前記口頸部の外周面には、前記キャップが前記口頸部に装着されたときに前記突起部が嵌まり込む凹部が形成されている、容器。
【請求項２】
前記口頸部の外周面に、正面視で前記凹部から右上方向に跳ね上がるように、前記凹部側の端から先端に向かって深さが徐々に浅くなる解除誘導部分が形成されている、請求項１に記載の容器。
【請求項３】
前記口頸部の外周面に、前記キャップが前記口頸部に装着されるときに前記突起部を前記凹部に誘導する溝部が形成されている、請求項１又は２に記載の容器。
【請求項４】
前記溝部が、前記凹部から前記口頸部の上端まで延びる縦溝部である、請求項３に記載の容器。
【請求項５】
前記溝部が、前記口頸部の周方向に延びる横溝部である、請求項３に記載の容器。
【請求項６】
前記突起部が、前記口頸部の軸線に対して対称となる位置にそれぞれ設けられ、前記凹部がそれら前記突起部に対応する位置に設けられている、請求項１〜５のいずれか一項に記載の容器。
【発明の詳細な説明】
【技術分野】
【０００１】
本発明は、容器に関する。
【背景技術】
【０００２】
柔軟剤、液体洗剤等の液状の内容物を収容する容器としては、例えば、容器本体と、該容器本体の口頸部に装着されるキャップとを備える容器が挙げられる。キャップとしては、一般的に計量機能を備え、計量した内容物を外側から視認できるように外壁部が透明になっている計量キャップが広く用いられている。計量キャップでは、外壁部の内側に位置する計量筒部に計量線等が印刷や成形によるレリーフとして形成されている。
【０００３】
容器本体の口頸部にキャップを装着する態様としては、液状の内容物が輸送時や取り扱い時に漏れにくいようにするために、キャップを口頸部に螺合装着する態様が一般的である。しかし、キャップを螺合装着するタイプの容器では、キャップの装着や取り外しの際にキャップを何周も回動させる必要があり、操作が煩雑である。
【０００４】
容器本体の口頸部にキャップを装着する態様としては、キャップを口頸部に嵌合装着する態様も提案されている。
例えば、上端に向かって縮径するテーパー状の口頸部の外壁面における下端部に係合凹部が形成され、キャップの内壁面における下端部に前記係合凹部と嵌合する係合凸部が形成された容器が挙げられる（例えば、特許文献１）。該容器においては、口頸部に嵌合装着されたキャップにおける対向する側壁の上下方向の中央部を内方に押圧することで、前記係合凹部と前記係合凸部の嵌合を解除し、その状態でキャップを上方に持ち上げることで、口頸部からキャップを取り外す。
しかし、該容器でも、キャップの取り外しに二段階の操作が必要であり、キャップを取り外す操作が煩雑である。
【先行技術文献】
【特許文献】
【０００５】
【特許文献１】実開昭４９−１２０６５１号公報
【発明の概要】
【発明が解決しようとする課題】
【０００６】
本発明は、キャップの装着及び取り外しが容易な容器を提供することを目的とする。
【課題を解決するための手段】
【０００７】
本発明の容器は、口頸部を有し、液状又は粉状の内容物を収容可能な容器本体と、前記口頸部に着脱自在に設けられたキャップとを備える容器であって、前記キャップは、前記口頸部に装着されたときに前記口頸部の外周面に沿わせられる外壁部を備え、前記口頸部に装着された状態で前記口頸部の軸周りに回動でき、前記外壁部の内面には突起部が設けられ、前記口頸部の外周面には、前記キャップが前記口頸部に装着されたときに前記突起部が嵌まり込む凹部が形成されている。
【０００８】
前記口頸部の外周面には、前記キャップが前記口頸部に装着されるときに前記突起部を前記凹部に誘導する溝部が形成されていることが好ましい。
前記溝部は、前記凹部から前記口頸部の上端まで延びる縦溝部であってもよい。
前記溝部は、前記口頸部の周方向に延びる横溝部であってもよい。
本発明の容器では、前記突起部が、前記口頸部の軸線に対して対称となる位置にそれぞれ設けられ、前記凹部がそれら前記突起部に対応する位置に設けられていることが好ましい。
【発明の効果】
【０００９】
本発明の容器は、キャップの装着及び取り外しが容易である。
【図面の簡単な説明】
【００１０】
【図１】本発明の容器の一例を示した斜視図である。
【図２】図１の容器の上部側構造を示すものであり、図２（ａ）は正面図であり、図２（ｂ）は容器本体上部のＡ−Ａ断面図である。
【図３】図１の容器におけるノズル中栓を示すものであり、図３（ａ）は正面図であり、図３（ｂ）は側面図である。
【図４】図１の容器におけるキャップを示すものであり、図４（ａ）は正面図であり、図４（ｂ）は側面図であり、図４（ｃ）は倒立図である。
【図５】図１の容器においてキャップを外す様子を示した斜視図である。
【図６】図１の容器においてキャップを装着する様子を示した斜視図である。
【図７】本発明の他の例の容器を示した斜視図である。
【図８】ノズル中栓の他の例を示した正面図である。
【図９】ノズル中栓の他の例を示した断面図である。
【図１０】本発明の容器の他の例を示した斜視図である。
【図１１】本発明の容器の他の例を示した正面図である。
【図１２】本発明の容器の他の例を示した斜視図である。
【発明を実施するための形態】
【００１１】
以下、本発明の容器の一例を示して説明する。
本実施形態の容器１は、図１に示すように、液状又は粉状の内容物を収容可能な容器本体２と、容器本体２に装着されるキャップ３とを備える。
【００１２】
容器本体２は、柔軟剤、液体洗剤等の液体あるいは粉末状洗剤や粉末状柔軟剤等の粉体を収容可能なボトル型の中空容器である。容器本体２は、図１及び図２に示すように、略四角形状の底壁４と、底壁４の縁部から立ち上がる側壁５と、側壁５の先端から上方に向かって徐々に縮径するように延びる肩部６と、肩部６の中央の上端から突設された円筒状の突設筒部７と、突設筒部７に螺合装着されるノズル中栓８とから構成されている。
突設筒部７の外周面には、ネジ部７ａが形成されている。容器本体２の上部には、突設筒部７にノズル中栓８が螺合装着されることで円筒状の口頸部９が形成される。
【００１３】
ノズル中栓８は、突設筒部７に螺合される円筒状の筒壁部１０を有している。
筒壁部１０は、内周面における下部にネジ部１１ａを設けた外筒壁１１と、外筒壁１１の内周側に接続壁１２を介して下方に延設された内筒壁１３とを有している。
【００１４】
内筒壁１３は、外筒壁１１の下端より若干下方まで達するように外筒壁１１と平行に延出されている。内筒壁１３の下端には傾斜面１６ａを有する底壁部１６が設けられており、底壁部１６には注出口１６ｂが偏在して形成されている。すなわち、口頸部９の内側に注出口１６ｂが偏在して形成されている。底壁部１６における注出口１６ｂの周縁部には注出筒１７が立設されている。
【００１５】
底壁部１６において注出口１６ｂが偏在しているため、注出口１６ｂの周りに立設された注出筒１７も内筒壁１３内で偏在している。注出筒１７には、その側壁の中心軸線Ｃ１側に縦方向にスリット状の開口部１７ｂが形成されている。さらに注出筒１７は、上端部が中心軸線Ｃ１に向かって低くなるように傾斜した面１７ａが形成されるように斜め方向に切除されている。
【００１６】
ノズル中栓８は、内筒壁１３が突設筒部７の内側に挿入され、外筒壁１１のネジ部１１ａが容器本体２の突設筒部７のネジ部７ａに螺合されることで、容器本体２の突設筒部７に着脱自在に装着されている。
また、ノズル中栓８には、外筒壁１１と内筒壁１３との間の接続壁１２の下面から垂下された筒状のシールリップ部１５が形成されている。これにより、ノズル中栓８を容器本体２の突設筒部７に螺合により装着した状態において、シールリップ部１５が突設筒部７の開口部に密に挿入されることで、突設筒部７の開口部が液密に閉塞される。
【００１７】
この例では、図２及び図３に示すように、外筒壁１１の外周面には、外筒壁１１の軸線回りに１８０゜間隔で、すなわち外筒壁１１の軸線回りの対称位置（周方向対称位置）にそれぞれ、正面視形状が円形状の凹部１８、１９が形成されている。凹部１９は、正面視において凹部１８の右側で、かつ凹部１８よりも上側に形成されている。凹部１８、１９は、後述する突起部２８、２９に対応するように設けられている。
【００１８】
凹部１８の正面視形状は、この例では円形状であるが、三角形状、矩形状等であってもよい。
凹部１８の正面視での大きさ及び深さは、後述する突起部２８が凹部１８に嵌まり込むことで、装着したキャップ３が予期せず外れることを抑制でき、かつキャップ３を回動させることで突起部２８が凹部１８から外れてキャップ３を取り外すことができるように適宜設定すればよい。例えば、この例では、凹部１８の正面視での直径を１．０〜３．０ｍｍ、深さを１．０〜２．０ｍｍとすることができる。
【００１９】
凹部１９の正面視形状、正面視での大きさ、及び深さについては、凹部１８の正面視形状、正面視での大きさ、及び深さと同じである。凹部１９の正面視形状と凹部１８の正面視形状とは、同じであってもよく、異なっていてもよい。凹部１８の正面視での大きさと凹部１９の正面視での大きさとは、同じであってもよく、異なっていてもよい。凹部１８の深さと凹部１９の深さとは、同じであってもよく、異なっていてもよい。
【００２０】
外筒壁１１の外周面には、凹部１８から口頸部９の上端まで延びる縦溝部２０と、凹部１９から口頸部９の上端まで延びる縦溝部２１が形成されている。
縦溝部２０は、凹部１８から口頸部９の上端まで直線的に、かつ凹部１８から口頸部９の上端まで幅が同じになるように形成されている。縦溝部２０の深さは、凹部１８の深さよりも浅くなっており、後述する突起部２８が凹部１８に嵌まり込んだときに、突起部２８が予期せず上方に外れないようになっている。
縦溝部２０の深さは、凹部１８側の端から口頸部９の上端まで一定になっている。
【００２１】
縦溝部２１は、縦溝部２０と同様に、凹部１９から口頸部９の上端まで直線的に、かつ幅が同じになるように形成されている。縦溝部２１の深さは、凹部１９の深さよりも浅くなっており、後述する突起部２９が凹部１９に嵌まり込んだときに、突起部２９が予期せず上方に外れないようになっている。
縦溝部２１の深さは、凹部１９側の端から口頸部９の上端まで一定になっている。
【００２２】
キャップ３は、図４に示すように、円筒状の計量筒部２２と、計量筒部２２の一側開口端を閉じる蓋部２３と、計量筒部２２の周面から外方に張り出した平面視円環状の張出板部２４と、張出板部２４の外縁部から垂下された外壁部２５と、を備えている。このように、キャップ３は、有蓋円筒形状で、高さ方向の中央に外方に張り出す張出板部２４を有している。張出板部２４の外壁部２５より外側には、張出板部２４の外縁部から外側に突出した突出部が形成されていてもよい。
また、張出板部２４の内周縁部には、下方に突出するリング部２６が形成されている。
キャップ３は、口頸部９に装着した状態で口頸部９の軸周りに回動できるようになっている。
【００２３】
計量筒部２２は、注出筒１７を囲むように、その下端側の一部がノズル中栓８の筒壁部１０に挿入される。
計量筒部２２の周壁における２つの長片部２５ａの間の部分には、図４（ｃ）に示すように、計量用の目盛線と容量表示用の数字を備えた目盛部２７が印刷、刻印等の手段により形成されている。これにより、キャップ３を倒立させた状態で、計量筒部２２の開口部２２ａから注入された液体等の内容物の量を把握することができる。このように、キャップ３は、いわゆる計量キャップである。
【００２４】
張出板部２４は、キャップ３がノズル中栓８に装着される際に、口頸部９におけるノズル中栓８の筒壁部１０上端の開口部に被せられる。
【００２５】
外壁部２５は、２つの長片部２５ａと、２つの短片部２５ｂと、を備えている。
長片部２５ａは、下端に向かって幅が狭くなっている正面視舌型の薄型片からなり、その下端部は正面視曲線状になっている。
長片部２５ａは、張出板部２４の軸線回りに１８０゜間隔で、すなわちキャップ３が口頸部９に装着されたときに中心軸線Ｃ１に対して対称位置となるように２つ形成されている。２つの長片部２５ａは、キャップ３の装着時に、筒壁部１０の外周面における軸線回りの対称位置にそれぞれ設けられた凹部１８及び凹部１９が存在する部分に沿わせられる。
【００２６】
短片部２５ｂは、正面視において上下方向の長さに比べて軸線回りの長さが長い矩形状の薄型片である。
短片部２５ｂは、２つの長片部２５ａの間に、張出板部２４の軸線回りに１８０゜間隔で、すなわちキャップ３が口頸部９に装着されたときに中心軸線Ｃ１に対して対称位置となるように２つ形成されている。２つの短片部２５ｂはいずれも、一方の長片部２５ａから他方の長片部２５ａまで形成されている。つまり、２つの長片部２５ａと２つの短片部２５ｂは周方向に一体に形成されている。
キャップ３の装着時には、短片部２５ｂはノズル中栓８の筒壁部１０の外周面における上端側部分に沿わせられる。
【００２７】
短片部２５ｂの下端は、長片部２５ａの下端よりも張出板部２４寄りに位置している。すなわち、短片部２５ｂの上下方向の長さは、長片部２５ａの上下方向の長さよりも短くなっている。これにより、キャップ３を倒立させた状態で内容物の計量を行う際に目盛部２７が視認しやすくなっている。
【００２８】
短片部２５ｂの上下方向の長さは、３〜１０ｍｍが好ましく、５〜７ｍｍがより好ましい。短片部２５ｂの上下方向の長さが下限値以上であれば、口頸部９にキャップ３を装着したときに内容物が漏れることを抑制しやすい。短片部２５ｂの上下方向の長さが上限値以下であれば、内容物の計量時における目盛部２７の視認性がより良好になる。
【００２９】
外壁部２５における長片部２５ａの内面には、２つの突起部２８、２９が設けられている。突起部２９は、外壁部２５を外面側から見た正面視において突起部２８の右側で、かつ突起部２８よりも上側に形成されている。突起部２８と突起部２９との位置関係は、凹部１８と凹部１９との位置関係と同じになっている。そして、キャップ３を装着したときには、突起部２８が凹部１８に嵌まり込み、突起部２９が凹部１９に嵌まり込むようになっている。
キャップ３を装着したときに突起部２８と凹部１８が嵌合し、突起部２９と凹部１９が嵌合することで、キャップ３を口頸部９にしっかりと取り付けることができ、装着されたキャップ３が予期せず外れることが抑制される。
【００３０】
突起部２８の正面視形状は、突起部２８を凹部１８内に嵌め込むことができる形状であればよく、キャップ３を口頸部９によりしっかりと装着できることから、凹部１８の正面視形状と同じであることが好ましい。この例の突起部２８の正面視形状は円形状である。なお、突起部２８の正面視形状は、三角形状、矩形状等であってもよい。
【００３１】
突起部２８の正面視での大きさは、凹部１８の正面視での大きさよりもわずかに小さく、凹部１８内に突起部２８が嵌まり込むになっている。凹部１８と突起部２８の正面視での大きさは、突起部２８と凹部１８とが嵌合することで、装着したキャップ３が予期せず外れることを抑制でき、かつキャップ３を回動させたときに突起部２８が凹部から外れるように適宜設定すればよい。
長片部２５ａの内面からの突起部２８の高さは、凹部１８内に突起部２８が嵌まり込む高さであればよく、例えば、凹部１８の深さと同等とすることができる。
【００３２】
突起部２９の正面視形状、正面視での形状大きさ、及び高さについては、突起部２８の正面視形状、正面視での形状大きさ、及び高さと同じである。突起部２８の正面視形状と突起部２９の正面視形状とは、同じであってもよく、異なっていてもよい。突起部２８の大きさと突起部２９の大きさとは、同じであってもよく、異なっていてもよい。突起部２８の高さと突起部２９の高さとは、同じであってもよく、異なっていてもよい。
【００３３】
（製造方法）
容器本体２の底壁４、側壁５、肩部６及び突設筒部７の製造方法としては、例えばポリエチレン等のオレフィン系合成樹脂を用いたブロー成型等により一体として成型する方法が挙げられる。容器本体２のノズル中栓８の製造方法としては、例えばポリプロピレン等のオレフィン系合成樹脂を用いた射出成型により一体として成型する方法が挙げられる。
キャップ３の製造方法としては、例えばポリエチレン等のオレフィン系合成樹脂を用いた射出成型により一体として成型する方法が挙げられる。
なお、容器本体２及びキャップ３の製造方法は、前記した方法には限定されない。
【００３４】
（作用効果）
以下、容器１におけるキャップ３の取り外し操作、計量操作及び取り付け操作について説明する。
使用前の容器１においては、図２（ｂ）に示すように、容器本体２内に内容物が収容された状態で、注出筒１７を上向きとしてノズル中栓８の内筒壁１３が突設筒部７に装着される。突設筒部７の開口部は、ノズル中栓８のシールリップ部１５によって液密に閉塞されるため、突設筒部７のネジ部７ａとノズル中栓８のネジ部１１ａの螺合部分を介する液漏れが防止される。
【００３５】
口頸部９のノズル中栓８にキャップ３が装着された状態においては、図１及び図２（ａ）に示すように、キャップ３における外壁部２５の２つの長片部２５ａが、筒壁部１０の外周面における凹部１８、１９が形成された部分に沿わせられている。この状態では、口頸部９の外周面に形成された凹部１８に突起部２８が嵌まり込み、凹部１９に突起部２９が嵌まり込んでいる。これにより、口頸部９に装着されたキャップ３が予期せず外れることが抑制されている。また、キャップ３が装着された状態では、リング部２６と、外壁部２５における長片部２５ａ及び短片部２５ｂとで、口頸部９における外筒壁１１の上端部分が挟み込まれるようになっている。これにより、キャップ３が装着された状態において、内容物が漏れることが抑制されている。
【００３６】
使用時には、図５に示すように、装着されたキャップ３の上部を指で摘み、キャップ３を平面視で軸線回りに反時計回り（左回り）に回動させて、突起部２８、２９が凹部１８、１９から外し、そのまま上昇させることでキャップ３を取り外すことができる。この例の容器では、正面視において周方向に並んで形成された突起部２８及び凹部１８と、突起部２９及び凹部１９とが、上下方向にずれている。これにより、キャップ３を反時計回りに回動させて突起部２８が凹部１８から外れた際に、突起部２８が凹部１９や縦溝部２１に嵌まり込みにくい。そのため、キャップ３を反時計回りに回動させることでスムーズにキャップ３を取り外すことができる。
【００３７】
その後、図４（ｃ）に示すようにキャップ３を倒立させ、ノズル中栓８の注出筒１７の先端を下向きとするように容器本体２を傾けて、容器本体２内の内容物を注出口１６ｂから注出筒１７を通じて計量筒部２２に注入する。キャップ３の計量筒部２２への内容物の注入量は、目盛部２７により把握することができる。計量操作を行う際のキャップ３では、外壁部２５の短片部２５ｂの上下方向の長さが短いため、長片部２５ａ、２５ａの間から目盛部２７が視認しやすく、計量筒部２２に収容した内容物の量を正確に把握することができる。
【００３８】
計量を終えて内容物を使用した後は、図６に示すように、筒壁部１０の外周面における縦溝部２０、２１に、長片部２５ａに設けられた突起部２８、２９を合わせ、計量筒部２２をノズル中栓８の筒壁部１０に挿入する。このとき、突起部２８、２９がそれぞれ縦溝部２０、２１に沿って凹部１８、１９まで下降して嵌まり込むことで、キャップ３がしっかりと装着される。
【００３９】
以上説明した本発明の容器においては、外壁部の内面に設けた突起部を、口頸部の外周面に設けた凹部に嵌め込むことで、キャップを口頸部にしっかりと取り付けることができる。また、キャップを回動させて突起部と凹部の嵌合を解除することで、キャップを何周も回動させなくても簡便に取り外すことができる。このように、本発明の容器はキャップの開閉操作が簡便である。
【００４０】
なお、本発明の容器は、前記した容器１には限定されない。
例えば、本発明の容器は、例えば、図７に例示した容器１Ａであってもよい。図７における図６と同じ部分は、同符号を付して説明を省略する。容器１Ａは、縦溝部２０、２１の代わりに、縦溝部２０Ａ、２１Ａを備える以外は、容器１と同じである。
縦溝部２０Ａは、凹部１８から口頸部９の上端まで延びる直線部分３０と、正面視で凹部１８から右上方向に跳ね上がるように形成された解除誘導部分３１とを備える。縦溝部２０Ａの直線部分３０の深さは、縦溝部２０と同様に凹部１８の深さよりも浅くなっている。
【００４１】
解除誘導部分３１の正面視形状は、凹部１８側の端から先端に向かって徐々に幅が狭くなっている。また、解除誘導部分３１の深さは、凹部１８側の端から先端に向かって徐々に浅くなっている。
縦溝部２０Ａが解除誘導部分３１を備えていることで、解除誘導部分３１を備えない縦溝部２０の場合に比べて、正面視での凹部１８の右縁部分の段差が小さくなる。そのため、キャップ３が装着されて凹部１８に突起部２８が嵌まり込んだ状態で、キャップ３を平面視で反時計回りに回動させたときに、突起部２８が凹部１８から解除誘導部分３１側に外れやすくなる。また、正面視で上方に跳ね上がるように形成された解除誘導部分３１に沿って突起部２８が動くことで、キャップ３に対してキャップ３を持ち上げる力が働くため、キャップ３の取り外しがより容易になる。
【００４２】
縦溝部２１Ａは、縦溝部２０Ａと同様に、凹部１９から口頸部９の上端まで延びる直線部分３２と、正面視で凹部１９から右上方向に跳ね上がるように形成された解除誘導部分３３とを備える。
解除誘導部分３３の正面視形状は、凹部１９側の端から先端に向かって徐々に幅が狭くなっている。また、解除誘導部分３３の深さは、凹部１９側の端から先端に向かって徐々に浅くなっている。
【００４３】
縦溝部２１Ａが解除誘導部分３３を備えていることで、縦溝部２０Ａと同様に、突起部２９が凹部１９から解除誘導部分３３側に外れやすくなる。また、正面視で上方に跳ね上がるように形成された解除誘導部分３３に沿って突起部２９が動くことで、キャップ３に対してキャップ３を持ち上げる力が働くため、キャップ３の取り外しがより容易になる。
【００４４】
このように、容器１Ａにおいても、外壁部２５の内面に設けた突起部２８、２９を、口頸部９の外周面に設けた凹部１８、１９に嵌め込むことで、キャップ３を口頸部９にしっかりと取り付けることができ、またキャップ３を取り外す操作も簡便である。
【００４５】
本発明の容器における縦溝部は、凹部から口頸部の上端まで幅が同じであるものには限定されない。例えば、本発明の容器は、図８に示すように、縦溝部２０、２１の代わりに、凹部１８、１９から口頸部を形成する外筒壁１１の上端まで延び、かつ外筒壁１１の上端側の部分が上方に向かって拡径した縦溝部３４、３５が形成された容器であってもよい。図８における図３（ａ）と同じ部分は、同符号を付して説明を省略する。該容器では、上端側部分の幅が拡径していない縦溝部を備える容器に比べて、口頸部へのキャップの装着時において、外壁部の内面に設けられた突起部の縦溝部への位置合わせが容易なため、突起部を凹部に嵌め込むことがより容易である。
【００４６】
溝部として縦溝部を形成する場合、縦溝部の態様は、凹部側の端から口頸部の上端まで深さが一定になっている態様には限定されない。例えば、図９に示すように、縦溝部２０において、凹部１８側の部分の深さが、凹部１８に向かうにつれて浅くなっている縦溝部２０Ｂであってもよい。同様に、縦溝部２１において、凹部１９側の部分の深さが、凹部１９に向かうにつれて浅くなっている縦溝部２１Ｂであってもよい。図９における図２（ｂ）と同じ部分は、同符号を付して説明を省略する。
縦溝部２０Ｂ、２１Ｂを備える容器においては、容器１の場合に比べて、正面視で凹部１８における上縁部分の段差が高くなるため、凹部１８に嵌まり込んだ突起部２８が上方に抜けにくくなる。同様に、凹部１９における上縁部分の段差が高くなるため、凹部１９に嵌まり込んだ突起部２９が上方に抜けにくくなる。そのため、該容器では、容器１に比べて、装着したキャップ３が予期せず上方に抜けることが抑制されやすくなる。
【００４７】
本発明の容器における突起部の数は、容器１では二対からなる合計４つであったが、これには限定されず、３つ以下であってもよく、５つ以上であってもよい。
口頸部の外周面に設けられる凹部の数は、外壁部に設ける突起部の数に応じて決定すればよい。本発明では、口頸部の外周面に設けられる凹部の数が、キャップの外壁部に設けられる突起部の数よりも多くなっていてもよい。
【００４８】
本発明の容器においては、口頸部の外周面に溝部を形成する場合、溝部として、口頸部の周方向に延びる横溝部を形成してもよい。具体的には、図１０に示すように、口頸部９の外周面に、周方向に全周にわたって横溝部３８が形成され、横溝部３８内に横溝部３８よりも深さが深い凹部３９が形成されている容器であってもよい。図１０における図６と同じ部分は、同符号を付して説明を省略する。該容器では、キャップを上方から口頸部９に被せる際に、外壁部２５の内面に設けられた突起部４０がどの位置であっても、突起部４０が横溝部３８に嵌まる。そして、その状態でキャップ３を回動させることで、横溝部３８によって突起部４０を凹部３９まで誘導して嵌め込むことができる。このように、該容器ではキャップの装着時に突起部の位置合わせの必要がないため、キャップの装着がより容易である。
【００４９】
本発明の容器は、口頸部の外周面に溝部が形成されていない容器であってもよい。
本発明の容器においては、外壁部における長片部及び短片部の数は２つには限定されず、例えば、長片部及び短片部がそれぞれ３つずつ等間隔に設けられた容器であってもよく、長片部及び短片部がそれぞれ４つずつ等間隔に設けられた容器であってもよい。
本発明の容器においては、キャップの外壁部が長片部を備える場合、該長片部の正面視形状は舌型には限定されず、例えば、矩形状、半円状等であってもよい。
【００５０】
本発明の容器におけるキャップは、長片部及び短片部を備える外壁部を備えるものには限定されない。
本発明の容器は、図１１に例示した容器１Ｂであってもよい。図１１における図２（ａ）と同じ部分は同符号を付して説明を省略する。容器１Ｂは、キャップ３の代わりにキャップ３Ａを備える以外は、容器１と同じである。
キャップ３Ａは、長片部２５ａ及び短片部２５ｂを備える外壁部２５の代わりに、張出板部２４の外縁部の全周から垂下された円筒状の外壁部２５Ａを備える以外は、キャップ３と同じである。
【００５１】
容器１Ｂにおいても、容器１と同様に、凹部１８、１９に突起部２８、２９を嵌め込むことでキャップ３Ａをしっかりと口頸部９に装着でき、キャップ３Ａを回動させることで口頸部９から容易にキャップ３Ａを取り外すことができる。
容器１Ｂのような、筒状の外壁部を備えるキャップを備える容器は、計量筒部を有さず、外壁部よりも外側から目盛部を視認する必要がない場合等に有用である。計量筒部を備える計量キャップを備える容器の場合は、目盛部の視認性の点から、容器１等のように長片部と短片部からなる外壁部を有する計量キャップを備える容器が好ましい。
【００５２】
本発明の容器は、計量機能を有しないキャップを備えるものであってもよい。
本発明の容器は、ノズル中栓を有しない容器であってもよい。
【００５３】
本発明の容器においては、口頸部は円筒状には限定されない。例えば、軸方向に対して垂直方向に切断した断面形状が、円における一部が切り欠かれた形状や楕円状等の口頸部を備える容器であってもよい。
具体的には、例えば、図１２に例示した容器１Ｃであってもよい。図１２における図１と同じ部分には同符号を付して説明を省略する。容器１Ｃは、口頸部９の代わりに口頸部９Ａを備える以外は容器１と同じである。口頸部９Ａは、突設筒部とノズル中栓が一体に形成され、かつ軸方向に対して垂直方向に切断した断面形状が、円形における両方の側面側（対向する凹部１８、１９の間）で切り欠かれた形状である以外は、口頸部９と同じである。
容器１Ｃにおいても、凹部１８、１９に突起部２８、２９を嵌め込むことでキャップ３をしっかりと口頸部９Ａに装着でき、キャップ３を回動させることで口頸部９Ａから容易にキャップ３を取り外すことができる。
【符号の説明】
【００５４】
１、１Ａ〜１Ｃ  容器
２  容器本体
３、３Ａ  キャップ
７  突設筒部
８  ノズル中栓
９、９Ａ  口頸部
１０  筒壁部
１１  外筒壁
１８、１９、３９  凹部
２０、２０Ａ、２０Ｂ、２１、２１Ａ、２１Ｂ、３４〜３７  縦溝部
２２  計量筒部
２３  蓋部
２４  張出板部
２５、２５Ａ  外壁部
２５ａ  長片部
２５ｂ  短片部
２８、２９  突起部
３０、３２  直線部分
３１、３３  解除誘導部分
３８  横溝部
【図１】
0006465483.tif 000002
【図２】
0006465483.tif 000003
【図３】
0006465483.tif 000004
【図４】
0006465483.tif 000005
【図５】
0006465483.tif 000006
【図６】
0006465483.tif 000007
【図７】
0006465483.tif 000008
【図８】
0006465483.tif 000009
【図９】
0006465483.tif 000010
【図１０】
0006465483.tif 000011
【図１１】
0006465483.tif 000012
【図１２】
0006465483.tif 000013